(57)【特許請求の範囲】
【請求項１】
情報記録媒体と、外周面に前記情報記録媒体が貼り付けられる柱状本体とを備え、
前記情報記録媒体は、
シート状部材と、
前記シート状部材の表面に複数個表示され、それぞれ同一の情報を有する情報シンボルと、
前記シート状部材の一端側と他端側の少なくとも一方に設けられた、前記情報シンボルを読取る情報読取装置に前記シート状部材の端を認識させるための端認識部とを有し、
前記情報記録媒体は、前記柱状本体に、前記シート状部材の一端または他端が前記シート状部材の表面に重なり且つ前記シート状部材の前記端認識部を設けた端が上になるように巻き付けられた、柱状体。
【請求項２】
前記複数個の情報シンボルは、前記情報読取装置による読取り方向に沿って表示され、
前記端認識部は、前記シート状部材の前記情報読取装置による読取り方向の一端側と他端側の少なくとも一方に設けられた請求項１に記載の柱状体。
【請求項３】
前記端認識部は、前記シート状部材に形成されたエッジラインであり、前記情報読取装置による読取り方向に略直交する方向に形成されている、請求項１または２に記載の柱状体。
【請求項４】
前記シート状部材の前記情報読取装置による読取り方向に沿った中心軸部分には、前記エッジラインに略直交する方向に形成されたセンターラインが設けられ、
前記センターラインの両側に前記情報シンボルが配置された、請求項３に記載の柱状体。
【請求項５】
前記センターラインの両側には、それぞれスタートマークが設けられ、
前記センターラインの両側において、それぞれの前記スタートマークから前記情報シンボルが表示されている、請求項４に記載の柱状体。
【請求項６】
前記シート状部材の前記情報読取装置による読取り方向に沿った部分には、前記エッジラインに略直交する方向に形成されたラインが設けられ、
前記ラインは、前記情報シンボルの上辺側もしくは下辺側に配置された、請求項３に記載の柱状体。
【請求項７】
前記情報シンボルは、複数個の領域に分割されている、請求項１から請求項６のいずれか一つに記載の柱状体。
【請求項８】
前記情報シンボルは、前記情報読取装置の読取り方向に向けて、複数個の領域に分割されている、請求項７に記載の柱状体。
【請求項９】
前記情報シンボルは、前記情報読取装置の読取り方向と略直交する方向に向けて、複数個の領域に分割されている、請求項７または請求項８に記載の柱状体。
【請求項１０】
前記シート状部材の裏面側に、接着層が設けられた、請求項１から請求項９のいずれか一つに記載の柱状体。
【請求項１１】
前記柱状本体は、筒状である、請求項１から１０のいずれか一つに記載の柱状体。
【請求項１２】
請求項１１に記載の柱状体を用いた薬剤シリンジであって、
前記柱状本体の内部には、薬剤が保持されている、
薬剤シリンジ。
【請求項１３】
前記薬剤は、前記柱状本体に装着される注射針を介して前記柱状本体の外部に出される、
請求項１２に記載の薬剤シリンジ。
【発明の詳細な説明】
【技術分野】
【０００１】
本発明は、例えば、薬剤の種類や使用期限などを記録した情報記録媒体が貼り付けられた柱状体に関する。
【背景技術】
【０００２】
従来のこの種、情報記録媒体は、帯状のシート状の部材と、このシート状部材の表面に、複数個表示された同一の情報シンボルとを備えた構成となっていた（例えば、特許文献１参照）。
すなわち、１つの情報シンボルが、受光素子からの距離が遠かったり、汚れていたりすると、その情報シンボルからの情報を読取ることができないので、同一の情報シンボルを複数個設けることで、読取りに対する信頼性の向上が図られている。
【先行技術文献】
【特許文献】
【０００３】
【特許文献１】特開平１０−１１１９０６号公報
【発明の概要】
【発明が解決しようとする課題】
【０００４】
従来の情報記録媒体における課題は、これを柱状体の外周面に貼付した際に、適切に情報を読取ることができないということであった。
すなわち、情報記録媒体を柱状体の外周面に貼付する場合、柱状体の外周面の全周に渡って、この情報シンボルが存在しない場合もあり、その時には、情報記録媒体の情報シンボルを受光素子で読取ることができなかった。
また、全周にわたって情報シンボルを存在させるために、情報記録媒体を構成する情報記録媒体本体を帯状とし、これを柱状体の外周面の全周に渡って巻きつけるように貼付した場合には、シート状部材の一端側と他端側が重なりあうので、情報シンボルの一部がシート状部材の一方または他方の端部分によって被覆された状態となり、この時にも情報シンボルを受光素子で読取ることができなかった。
【０００５】
そこで、本発明は、情報シンボルが適切に読取られる柱状体を提供することを目的とするものである。
【課題を解決するための手段】
【０００６】
そして、この目的を達成するために、本発明の柱状体は、情報記録媒体と、外周面に情報記録媒体が貼り付けられる柱状本体とを備えている。情報記録媒体は、シート状部材と、シート状部材の表面に複数個表示され、それぞれ同一の情報を有する情報シンボルと、シート状部材の一端側と他端側の少なくとも一方に設けられた、情報シンボルを読取る情報読取装置にシート状部材の端を認識させるための端認識部とを有している。情報記録媒体は、柱状本体に、シート状部材の一端または他端がシート状部材の表面に重なり且つシート状部材の端認識部を設けた端が上になるように巻き付けられている。
これにより初期の目的を達成するものである。
【発明の効果】
【０００７】
以上のように本願発明の柱状体において、情報記録媒体は、柱状本体に、シート状部材の一端または他端がシート状部材の表面に重なり且つシート状部材の端認識部を設けた端が上になるように巻き付けられている。
このため、たとえ、情報記録媒体を柱状体の外周面の全周に渡って巻きつけるように貼付し、シート状部材の一端側と他端側が重なりあって、情報シンボルの一部がシート状部材の一方または他方の端部分によって被覆された状態となり、読み取れない状態になったとしても、本発明の柱状体は、重ねた上側のシート状部材の端に端認識部を設けている。このため、情報読み取り装置は、端認識部が設けられた端によって被覆された情報シンボルを避けて、被覆されていない情報シンボルを読み取ることができる。
その結果として、有効な情報シンボルを読み取ることができるものとなり、情報シンボルを適切に読み取ることができる。
【図面の簡単な説明】
【０００８】
【図１】本発明にかかる実施の形態１における薬剤投与装置を示す斜視図
【図２】本発明にかかる実施の形態１における薬剤投与装置の内部構成を説明するための透視平面図
【図３】本発明にかかる実施の形態１における薬剤投与装置の内部構成を説明するための透視平面図
【図４】本発明にかかる実施の形態１の薬剤投与装置の制御ブロックを示す図
【図５】（ａ）本発明にかかる実施の形態１の薬剤投与装置の薬剤シリンジを示す平面図（ｂ）本発明にかかる実施の形態１の薬剤投与装置の薬剤シリンジを示す拡大図
【図６】（ａ）本発明にかかる実施の形態１における情報記録媒体を示す平面図、（ｂ）本発明にかかる実施の形態１における情報記録媒体の薬剤シリンジに貼り付けた状態を示す正面図
【図７】（ａ）本発明にかかる実施の形態１における薬剤シリンジを示す断面図、（ｂ）本発明にかかる実施の形態１における情報記録媒体を薬剤シリンジに貼り付ける動作を説明するための模式図、（ｃ）図７（ｂ）のＳ部拡大図、（ｄ）本発明にかかる実施の形態１における情報記録媒体を薬剤シリンジに貼り付ける動作を説明するための模式図
【図８】本発明にかかる実施の形態１における情報読取装置の動作フローチャート
【図９】（ａ）本発明にかかる実施の形態２における情報記録媒体を示す平面図、（ｂ）本発明にかかる実施の形態１における情報記録媒体の薬剤シリンジに貼り付けた状態を示す正面図
【図１０】本発明にかかる実施の形態２における情報読取装置の動作フローチャート
【図１１】本発明にかかる実施の形態２における情報読取装置の動作フローチャート
【図１２】本発明にかかる実施の形態２における情報読取装置の動作フローチャート
【図１３】（ａ）本発明にかかる実施の形態２における情報読取装置のデータベースを示す図、（ｂ）各コード領域の読取エリアのセンターからの距離を示す図
【図１４】本発明にかかる実施の形態２における情報読取装置のデータベースを示す図
【図１５】本発明にかかる実施の形態２における情報読取装置のデータベースを示す図
【図１６】本発明にかかる実施の形態２における情報読取装置のデータベースを示す図
【図１７】（ａ）本発明にかかる実施の形態３における情報記録媒体を示す平面図、（ｂ）本発明にかかる実施の形態１における情報記録媒体の薬剤シリンジに貼り付けた状態を示す正面図
【図１８】本発明にかかる実施の形態３における情報読取装置の動作フローチャート
【図１９】本発明にかかる実施の形態の変形例における情報記録媒体を示す平面図
【発明を実施するための形態】
【０００９】
以下、本発明の実施の形態について図面を参照して詳細に説明する。
（実施の形態１）
[薬剤投与装置の外部構成]
はじめに、本実施の形態の薬剤投与装置の外部構成から説明する。
図１及び図２において、１は薬剤投与装置を示している。この薬剤投与装置１は、手で握る略直方体形状の筐体２と、この筐体２の先端側に装着された先端キャップ３とを備えている。
【００１０】
また、先端キャップ３の外周面には、長円形状の確認窓４が設けられている。さらに、筐体２の外周面には電源ボタン５、エア抜きボタン６、完了ボタン７、薬剤投与ボタン８、及び表示部９が設けられている。
なお、図１においては、薬剤シリンジ１０が薬剤投与装置１に装着された状態が示されている。この状態は、確認窓４から薬剤シリンジ１０を目視することにより確認することが出来る。
【００１１】
前記先端キャップ３は、筐体２の先端に着脱可能である。図２に示すように、薬剤シリンジ１０を筐体２内に設けられたインナーケース１１内に装着する時並びにインナーケース１１内から取り外す時や、薬剤シリンジ１０に薬剤を注入する注射針１２を装着する時並びに取り外す時に、この先端キャップ３は筐体２の先端から着脱される。
図１に示すように、先端キャップ３は、上述のように内部確認用の確認窓４を有しているため、薬剤シリンジ１０の有無や種類、薬剤の残量等を視覚的に確認することができる。
【００１２】
また、図２に示すように、先端キャップ３は、薬剤投与用の注射針１２の先端が、この先端キャップ３より露出しないようにカバーする役割を有している。
さらに、薬剤投与時においては、この先端キャップ３の先端面が皮膚に当接される。そして、薬剤投与用の注射針１２が、先端キャップ３の前面に設けられている先端開口部１３から、皮膚に向けて突出させられる。この状態で前記注射針１２を皮膚に刺して、薬剤シリンジ１０内にある薬剤が人体内に投与される。
【００１３】
つまり、先端キャップ３は、注射針１２などの先端が尖った鋭利な部材をカバーして、操作時における安全性を確保するために設けられている。
図１に示す確認窓４は、上述のように、先端キャップ３内に装着されている薬剤シリンジ１０の有無や種類、薬剤の残量等を視覚的に確認する内部確認用の窓である。
図１に示す電源ボタン５は、筐体２の端部に設けられ、薬剤投与装置１の電源をＯＮ／ＯＦＦするためのものである。
【００１４】
エア抜きボタン６は、薬剤シリンジ１０内の空気抜きを行うときに使用するものである。つまり、薬剤シリンジ１０の薬剤を投与する前に、薬剤シリンジ１０内や投与するための注射針１２（内部が空洞である中空針）内にエアが入っている場合がある。このような時には、エア抜きボタン６を操作することにより、注入駆動部の一例として用いる図３に示すピストン駆動用モータ１４を駆動し、ピストンユニット１５によってエアが薬剤シリンジ１０及び注射針１２の外部に押し出される。
【００１５】
再び、図１及び図２に戻って説明を続ける。完了ボタン７は、エア抜きボタン６によりエア抜き動作を行った後や、表示部９の表示内容の確認等が完了した後、制御処理を次のステップに進めるために操作するボタンである。
また、薬剤投与ボタン８は、薬剤を投与する準備が完了した後、薬剤投与時に押すボタンである。この薬剤投与ボタン８を押せば、上述のように、注射針１２が皮膚に穿刺され、薬剤シリンジ１０内の薬剤が人体内に注入投与される。
【００１６】
さらに、表示部９は、薬剤の投与量、内部に搭載した充電式電池（図４の１６参照）の電池残量やエア抜き操作等の各種の必要な情報を表示するときに使用され、ＬＣＤまたは有機ＥＬで構成されている。
[薬剤投与装置の内部構成]
次に、図２及び図３を用いて、本実施形態の薬剤投与装置１の内部構成について説明する。
【００１７】
図２及び図３に示すように、筐体２の内部には、薬剤シリンジ１０の装着部であるインナーケース１１が設けられ、上述のように、このインナーケース１１内に薬剤シリンジ１０が装着されるように構成されている。
インナーケース１１は、筐体２内及び先端キャップ３内において前後方向（図３において、左右方向）にスライド動作可能に構成されている。インナーケース１１の内部後方には、ピストンユニット１５が収納されており、薬剤シリンジ１０内の薬剤を前方に押し出すことが可能である。
【００１８】
薬剤シリンジ１０は、インナーケース１１に対して位置規制(装着時に着脱自在に固定)されている。図５に示すように、この薬剤シリンジ１０の後部（図５において右方向）外周面に貼付された情報記録媒体１７の情報シンボル１８（後述する）は、図３に示す情報読取装置１９により読取られる。尚、この情報記録媒体１７及び情報読取装置１９については、詳しくは後述する。
次に、図３に示す位置検出手段２０は、反射型または透過型のフォトセンサ２１、２２を所定間隔で２箇所に配置することで構成されている。
【００１９】
この内、フォトセンサ２１はインナーケース１１が刺針位置にある事を検出する。また、フォトセンサ２２はインナーケース１１が抜針位置にある事を検出する。
２３は遮蔽板であり、前後方向にスライド動作した際、フォトセンサ２１、２２の光を遮蔽したり開放したりする事でインナーケース１１の位置が検出される。遮蔽板２３はピストン駆動用モータ１４を収納したケース２４と一体で形成されている。このケース２４はインナーケース１１とスライドモータ２５と連係され、スライドモータ２５を回転することにより、ケース２４は前後方向にスライドする構成となっている。
【００２０】
[薬剤投与装置の制御構成]
次に、本実施の形態の薬剤投与装置１の制御ブロックについて説明する。
図４は、電気的な制御ブロックを示しており、図４に示すように前記電源ボタン５、エア抜きボタン６、完了ボタン７，薬剤投与ボタン８、表示部９、及び情報読取装置１９は、制御部２６に接続されている。また、ピストン駆動モータ１４、スライドモータ２５、位置検出手段２０は、モータドライブ回路２７を介して制御部２６に接続されている。なお、ピストン駆動モータ１４の駆動量はエンコーダ２８を介して制御部２６に伝達されるようになっている。また、充電式電池１６の電池量も、制御部２６に伝達されるようになっている。さらに、制御部２６には、警報手段として、サウンダ２９、バイブレータ３０が接続されている。
【００２１】
そして、制御部２６には、情報読取装置１９の制御を行う読取制御部２６１と、読取った情報に基づいて薬剤投与の制御を行う薬剤投与制御部２６２が設けられている。読取った情報から薬剤を投与することが不適切と判断した場合には、薬剤投与制御部２６２はサウンダ２９、バイブレータ３０から警報を発するとともに、薬剤投与ボタン８を制御し、薬剤投与動作を停止させる。
[薬剤投与装置の動作]
次に、本実施の形態の薬剤投与装置の動作について図１〜図４を参照して説明する。
【００２２】
つまり、薬剤を投与する時には、まず、エア抜きボタン６を押すことで、スライドモータ２５が駆動する。すると、ケース２４が前方に押し出されることで、インナーケース１１が薬剤シリンジ１０とともに前方に移動する。これにより、注射針１２が先端キャップ３の先端開口部１３から突出させられる。そして、次の瞬間に、ピストン駆動モータ１４によりピストンユニット１５が前方に押し出される。これにより、薬剤シリンジ１０内の薬剤の一部が注射針１２の先端から噴出され、エア抜きが完了する。
【００２３】
このエア抜きが完了すると、スライドモータ２５が反転し、インナーケース１１も後退する。これにより、注射針１２は先端キャップ３内に収納される。ここで、エア抜きが完了したので、完了ボタン７を押し、次に、薬剤投与のための薬剤投与ボタン８が押される。すると、スライドモータ２５が駆動され、ケース２４が前方に押し出され、インナーケース１１が薬剤シリンジ１０とともに前方に移動する。これにより、注射針１２が先端キャップ３の先端開口部１３から突出させられ、注射針１２が患者に穿刺される。
【００２４】
そして、次の瞬間に、ピストン駆動モータ１４によりピストンユニット１５が前方に押し出される。これにより、薬剤シリンジ１０内の薬剤の一部が注射針１２の先端から所定量噴出され、薬剤の投与が完了する。
この薬剤の投与が完了すると、スライドモータ２５が反転し、インナーケース１１も後退する。これにより、注射針１２は先端キャップ３内に収納されることになる。
以上の動作で薬剤の投与が完了したので、電源ボタン５を押すことで、電源をオフの状態とする。
【００２５】
次の薬剤投与については、電源ボタン５を押すことで、電源をオンの状態とし、上述した動作が繰り返されることになる。
以下に、投与する薬剤の種類・量等を薬剤投与動作の前に確認するための情報記録媒体１７、この情報記録媒体１７が貼り付けられている薬剤シリンジ１０、及びこの情報記録媒体１７を読取る情報読取装置１９等について説明する。
[薬剤シリンジ]
さて、図５（ａ）に示すように、柱状体の一例である薬剤シリンジ１０は、柱状本体の一例である薬剤シリンジ本体１００と、薬剤シリンジ本体１００の後部外周面に巻き付けるようにして貼り付けられた情報記録媒体１７を備えている。ここで後部とは、薬剤投与装置１に装着した際に薬剤シリンジ１０の注射針１２が設けられている側を前部とし、ピストンユニット１５が設けられている側を後部とする。
【００２６】
[情報読取装置]
そして、本実施の形態においては、薬剤シリンジ１０の情報記録媒体１７の情報シンボル（図６（ａ），（ｂ）の１８参照）が、図３に示す情報読取装置１９により読取られる。
具体的には、図５（ｂ）に示すように、情報読取装置１９は、柱状本体の一例である薬剤シリンジ本体１００の外周面に貼付された帯状の情報記録媒体１７に光を照射する発光素子３１と、前記情報記録媒体１７からの反射光を受光する受光素子３２と、この受光素子３２に接続された前記制御部２６（読取制御部２６１を含む）とを備えている。
【００２７】
[情報記録媒体]
また、情報記録媒体１７は、図６（ａ）に示すように、帯状のシート状部材３３と、このシート状部材３３の表面３３ａに複数個表示された同一の前記情報シンボル１８とを備え、前記帯状のシート状部材３３の長手方向の一端側と他端側の少なくとも一方には、長手方向に対して直交する方向に形成されたエッジライン３４が設けられた構成となっている。
【００２８】
さらに、情報記録媒体１７は、前記シート状部材３３の長手方向の中心軸部分に、前記エッジライン３４に略直交するセンターライン３５が設けられるとともに、このセンターライン３５の両側に前記情報シンボル１８が複数個配置された構成となっている。
さらにまた、前記センターライン３５の両側には、それぞれスタートマーク３６が設けられている。前記センターライン３５の両側において、それぞれのスタートマーク３６から、図６（ａ）に示すように、情報シンボル１８が表示された構成となっている。本実施の形態では、スタートマーク３６から右方向に情報シンボル１８が表示されている。一例を挙げると、図６（ａ）に示す情報シンボル１８Ｘのスタートマーク３６は、３６Ｘで示されている。
【００２９】
このような情報記録媒体１７を構成する帯状のシート状部材３３を、柱状の薬剤シリンジ本体１００に貼付した場合、図６（ｂ）に示すように、この帯状のシート状部材３３の一端側と他端側が重なることで、エッジライン３４が一部の情報シンボル１８上に重なった状態となる。
図６（ａ）、（ｂ）に示す点線で囲まれた四角は、情報読取装置１９の読取エリア３７を示しており、この内に存在する情報シンボル１８が情報読取装置１９によって読み出される。
【００３０】
ここで、薬剤シリンジ本体１００への情報記録媒体１７の貼り付けについて説明する。尚、図６（ａ）に示すように、情報記録媒体１７の右側の端が３３Ｒ、左側の端が３３Ｌと示されている。
図７（ａ）に示すように、シート状部材３３の右端３３Ｒ側が薬剤シリンジ本体１００の表面に貼り付けられ、その後、図７（ｂ）に示すように左端３３Ｌ側が表面３３ａに重なるように、シート状部材３３が薬剤シリンジ本体１００に巻き付けられて貼り付けられる。尚、図７（ａ）のＳ部を拡大した図７（ｃ）に示すように、シート状部材３３の裏面側には接着層３３ｂが設けられており、薬剤シリンジ本体１００の表面に貼り付けることが可能である。
【００３１】
又、図７（ｄ）は、情報読取装置１９の読取エリア３７における薬剤シリンジ１０の断面を示したもので、この図７（ｄ）に示すように、薬剤シリンジ１０は、上述のように柱状体（円柱状態）となっているので、読取エリア３７内も球面状態となっている。従って、この読取エリア３７内に存在する複数の情報シンボル１８であっても、できるだけ中心部分の情報シンボル１８を読み出すことが、読取の安定性を発揮するために重要になる。すなわち、情報読取装置１９が読取エリア３７の中央に配置されており、複数の情報シンボル１８のうち出来るだけより情報読取装置１９の受光素子３２に近い情報シンボル１８を読み出すことで、出来るだけ平面に近い情報シンボルを選択することになるため読取の安定性を図ることが出来る。
【００３２】
しかしながら、図６（ｂ）及び図７（ｂ）に示すように、たまたまエッジライン３４が読取エリア３７内に存在していた場合には、このエッジライン３４を避けて、その近傍に存在する情報シンボル１８を読み出すこととする。
つまり、読取エリア３７内の中心部分に存在する情報シンボル１８であったとしても、エッジライン３４で覆われた状態となっていれば、情報シンボル１８として不完全なものとなる。ので、そのためエッジライン３４で覆われた情報シンボル１８を避けて、近傍に存在するエッジライン３４によって被覆されていない状態の情報シンボル１８が読み出される。尚、エッジライン３４によって被覆されるとは、情報シンボル１８の少なくとも一部がエッジライン３４によって覆われている状態を含み、更に情報シンボル１８の少なくとも一部の上にエッジライン３４が印刷または塗布などされている状態も含む。
【００３３】
この情報シンボル１８には薬剤名や使用期限などが記録されている。そのため、読み取った制御部２６は、薬剤名や使用期限が適切であれば、上述した薬剤の投与を許可するが、薬剤名や使用期限が不適切であれば、警報手段として用いた、サウンダ２９、バイブレータ３０から警報を発するとともに、薬剤の投与動作を停止させてしまう。より詳細には、上述したように読取制御部２６１に情報シンボル１８の薬剤名や使用期限などが読取られ、薬剤投与制御部２６２によって、サウンダ２９、バイブレータ３０から警報が発せられるとともに、薬剤の投与動作が停止させられる。
【００３４】
[情報読取り方法]
このような情報読取装置の動作を、図８のフロー図を用いてさらに具体的に説明する。
制御部２６内の読取制御部２６１は、読取エリア３７から受光素子３２で読み取ったデータ内にセンターライン３５が存在するか否かを検索する（図８のＳ１）。次に、スタートマーク３６が未検出の状態であるとの設定と、上段から読取りを開始するという設定が行われる（図８のＳ２）。なお、スタートマーク３６の検出作業は、上段も下段も読取エリア３７の図６における左端から右端までのエリアを４００個に分割したものを左側から右側に向けて１エリアごとに順次検出するものである。そのため、結論として上段も下段も４００回のスタートマーク３６の検出作業が行われることとなる。尚、本明細書では、読取エリア３７を４００分割して得られる４００個の分割エリアにおいて、左側からｎ番目の分割エリアはｎ／４００として記載される。
【００３５】
Ｓ２において上記設定が行われると、制御処理はＳ３に移行する。Ｓ３では分割エリアの繰上げが行われる。すなわち、分割エリアを１つの繰り上げることによって、情報読取装置によって読取られる分割エリアが右側に１つ分移動する。はじめは、ｎ＝０であるため、Ｓ３において繰り上げられｎ＝１となり、読取りエリア３７内において最も左側に位置する分割エリアの検出が行われる。
Ｓ４は、上段及び下段の検出をそれぞれ４００回行うためのものである。まずは、Ｓ２で上段からの読取りを開始することが設定（Ｓ２において、ＦＬＡＧ１＝０）されているので、上段側において、次に、制御処理がＳ５へと移行する。
【００３６】
Ｓ５では、毎回、その検出部分にスタートマーク３６が存在するか否かの検出が行われる。図６（ｂ）の状態では、左端の部分には、スタートマーク３６が存在しないので、次に、制御処理がＳ６へと移行する。
Ｓ６では、その１／４００の分割エリアにエッジライン３４が存在するか否かの判定が行われる。図６（ｂ）の状態では、左端の部分にエッジライン３４が存在しないので、制御処理はＳ７へと移行する。
【００３７】
Ｓ７では、コード終了位置（コード終了位置とは、スタートマーク３６から情報シンボル１８が終了する位置、つまり、情報シンボル１８の幅）の確認が行われる。ここで、コード終了位置の確認とは、情報シンボル１８の終了位置が反射率の差によって検出されることであり、スタートマーク３６からの距離（情報シンボル１８の幅）を考慮した検出が行われるものではない。これは、例え、距離を考慮した演算を行おうとしても、シート状部材３３が円柱形状の薬剤シリンジ本体１００に貼り付けられているため、撮像素子で撮影すると、読取りエリア３７のセンター３７ａから左右に離れるほど画像が圧縮されることになり、正確な距離を計測することが困難となるためである。
【００３８】
図６（ｂ）に示す読取エリア３７の左端の状態では、情報シンボル１８のコード終了位置が存在しないので、その時、制御処理はＳ３へと移行する。
次に、Ｓ３では、読取りが行われる分割エリアが、１番目（１／４００）から２番目（２／４００）に移動される。そして、Ｓ４では、４００個の分割エリア全ての読み取りが終了したか否かが判定されるため、制御処理はＳ５へと移動する。
続いて、Ｓ６では、２回目の検出ということで２／４００の分割エリアにエッジライン３４が存在するか否かの判定が行われる。図６（ｂ）の状態では、この２／４００の分割エリアにも、エッジライン３４が存在しないので、制御処理はＳ７へと移行する。Ｓ７では、コード終了位置の確認が行われるが、この左端の状態では、情報シンボル１８のコード終了位置が存在しないので、制御処理はＳ３へと移行する。
【００３９】
このようにして、４００回の検出が行われることになる。
そして、この４００回の検出の途中（Ｓ３、Ｓ４、Ｓ５、Ｓ６、Ｓ７から再びＳ３へと戻る制御ループによって検出エリアが順次右側に移動する中）において、Ｓ５で、図６（ｂ）のスタートマーク３６ａが検出された場合には、制御処理はＳ５からＳ８へと移行される。Ｓ８では、スタートマーク３６ａが検出済とされ（ＦＬＡＧ０＝１）、再び制御処理はＳ３へと移行する。
【００４０】
次に、Ｓ３、Ｓ４、Ｓ５、Ｓ６、及びＳ７を経て再びＳ３へと戻るループを繰り返すことによって、検出される分割エリアが順次右側に移動する中で、Ｓ７においてコード終了位置が確認された場合、制御処理はＳ９へと移行する。Ｓ９では、スタートマーク３６ａが確認済（ＦＬＡＧ０＝１）か否かの検出が行われる。ここで、スタートマーク３６ａが確認済みであると判定された場合、制御処理はＳ１１へと移行し、有効な情報シンボル１８であるとして、読取制御部２６１内のデータベースに登録される。しかしながら、図６（ｂ）の状態では、スタートマーク３６ａが検出された後、右方向に順次移動しながら分割エリアの読取りが行われる中で、Ｓ６において、エッジライン３４の存在が確認される。そのため、Ｓ１０においてフラグが０と設定され、スタートマーク３６ａは検出されなかった（ＦＬＡＧ０＝０）とされ、制御処理はＳ３へと戻る。
【００４１】
その後、右方向に移動しながら分割エリア内の読取りが行われていくと、上段におけるスタートマーク３６ｂが再び検出される。すると、続いて右方向に移動しながら分割エリア内の読取りが行われる中で、制御処理はＳ５からＳ６、Ｓ７、Ｓ９へと移行し、Ｓ１１で、上段の情報シンボル１８が登録される。
このようにして、上段における４００回の検出が完了すると、制御処理はＳ４からＳ１２へと移行される。Ｓ１２では、下段の検出中か否かの判定が行われる。上段の４００回の検出が終わった時点では、下段の検出を行っていたものではないので、このＳ１２では下段の検出中ではないという判定がされる。そのため、制御処理はＳ１３へと移行し、下段の検出中にするためフラグ１が１（ＦＬＡＧ１＝１）へと変換される。続いて、Ｓ１０において、フラグ０が０（ＦＬＡＧ０＝０）とされ、制御処理がＳ４からＳ１１へと適宜移行することで下段の検出が行われる。
【００４２】
この図６（ｂ）の状態では、読取エリア３７の下段に存在する情報シンボル１８のうち、左右の端部分に位置するものは、読取エリア３７内に一部しか存在できていない。また、内方のものは、エッジライン３４で覆われた状態となる。詳しく述べると、下段の左端に存在する情報シンボル１８ｏは、その左部分が読み取りエリア３７内に存在しないため、スタートマーク３６が読取られない。下段の右端に存在する情報シンボル１８ｐは、その右部分が欠けているため、スタートマーク３６は読取られているがコード終了位置が確認されない。エッジライン３４の右側に配置されている情報シンボル１８ｑは、エッジライン３４が上に重ねて印刷されており、端によって、その一部が途切れた状態でシート状部材３３に印刷されているため、スタートマーク３６が読取られない。又、エッジライン３４の左側に配置されている情報シンボル１８ｒは、シート状部材３３のエッジライン３４が存在する左端３３Ｌ側の部分で、その一部が覆われているため、スタートマーク３６が読取られた後エッジライン３４が読取られる。以上のように下段の情報シンボル１８ｏ、１８ｐ、１８ｑ、１８ｒがデータベースに登録されない。
【００４３】
このため、下段には、Ｓ１１において登録できる情報シンボル１８は存在しない。
以上より、上段のエッジライン３４よりも右側に配置されている情報シンボル１８がデータベースに登録される（図中ｃ参照）。尚、この登録される情報シンボル１８を選択するＳ２〜Ｓ１３が、第１情報シンボル選択工程の一例に対応する。
また、これとは異なり、下段においても情報シンボル１８を登録することができた場合には、下段における４００回の検出が終わった後に、Ｓ１４において上段の情報シンボル１８と下段の情報シンボル１８のいずれが読取エリア３７の中心に近いかということを判断基準として、情報シンボル１８の選択が行われる。このＳ１４における選択が、第２情報シンボル選択工程の一例に対応する。
【００４４】
つまり、図７（ｄ）に示したように、読取エリア３７において情報シンボル１８は曲面となっているので、読取エリア３７の中心（図６（ａ）（ｂ）に示すセンター３７ａ参照）近いものほど、平面的に情報読取装置１９で読取ることができるのである。そして、このようにして選択された上段あるいは下段の情報シンボル１８のデータは、Ｓ１５において誤り訂正の確認が行われる。そして、誤り訂正が不適切であれば、Ｓ１６において次の候補を選択するために、制御処理はＳ１４に戻る。つまり、Ｓ１４において選択された情報シンボル１８が、例えば汚れてしまっていた場合には、そこから適切なデータを読取ることができない。そのため、Ｓ１４において、先ほど選択された情報シンボル１８の次に読取エリア３７の中心に近い情報シンボル１８が選択され、そのデータが読取られることになる（Ｓ１６）。尚、Ｓ１４におけるデコード処理が、情報取得工程の一例に対応する。
【００４５】
具体的には、それぞれの情報シンボル１８のスタートマーク３６のＸ座標がデータベースに登録される。このデータベースには、各情報シンボル１８のスタートマーク３６のＸ座標が示されており、このスタートマーク３６のＸ座標から、各情報シンボル１８の読取エリア３７のセンター３７ａからの距離が演算される。具体的には、読取エリア３７は４００分割されているため、センター３７ａのＸ座標は２００となる。そして、センター３７ａよりも右側に位置する情報シンボル１８では、そのスタートマーク３６の位置がセンターとの距離を示している。具体的には、図６（ａ）におけるｃで示されている情報シンボル１８のスタートマーク３６のＸ座標が、例えば２４０である場合、その情報シンボル１８のセンター３７ａからの距離は２４０−２００で求められ、４０となる。
【００４６】
一方、センターよりも左側に位置するコード領域では、スタートマーク３６側でなく、コード領域の右側がセンターとの距離となる。例えば、情報シンボル１８の幅は１５２に設定され、スタートマーク３６のＸ座標が３である情報シンボル１８が存在していたとすると、その情報シンボル１８のセンター３７ａからの距離は、２００−（３＋１５２）で求められ、４５となる。このため、センター３７ａからの距離が４０の情報シンボル１８がセンター３７ａに近い情報シンボル１８として選択されることになる。
【００４７】
また、Ｓ１６において、次の候補が存在しない場合には、Ｓ１８において異常ということで、動作は終了する。この時には、表示部９に薬剤シリンジ１０の内容が確認できない旨の表示がなされる。また、当然のこととして、薬剤の投与は行うことができない。
さらに、データを読取ることができたとしても、薬剤の種類が異なる場合や使用期限が過ぎてしまった場合には、この時も、その状態を表示部９に表示するとともに、薬剤の投与が行えないように制御が行われる。すなわち、薬剤投与不可の指示が薬剤投与制御部２６２になされると、例えば薬剤投与ボタン８が押されてもスライドモータ２５が動作しないように制御が行われる。
【００４８】
[作用効果]
以上のように、帯状のシート状部材と、このシート状部材の表面に、複数個表示された同一の情報シンボルとを備え、前記シート状部材の一端側と他端側の少なくとも一方には、エッジラインを設けたものであるので、情報シンボルを適切に読取ることができる。
すなわち、シート状部材の一端側と他端側の少なくとも一方には、エッジラインを設けたものであるので、エッジラインで非被覆状態の情報シンボルを読取ることができるようになり、その結果として、情報シンボルを適切に読取ることができる。
【００４９】
又、エッジライン３４が存在しない場合、図６（ｂ）を用いて説明すると、情報シンボル１８ｒのスタートマーク３６が検出された後に、情報シンボル１８ｑのコード終了位置が検出されることになるため、情報が欠けている情報シンボル１８ｒと情報シンボル１８ｑを合体した情報シンボルが、１つの情報シンボルとして有効であると判断され、デコードの対象となるおそれが生じる。
しかしながら、本実施の形態のようにエッジライン３４を設け、エッジライン３４を検出することによって、情報シンボル１８ｒと情報シンボル１８ｑは、データベースに登録に登録されないため、デコードの対象とならず、適切に情報を読取ることが可能となる。
【００５０】
又、複数選択された場合には、より情報読取装置１９の受光素子３２に近い位置に存在する情報シンボルを選択して読取りを行うことで、より正確な情報の読取りを行うことが出来る。
また、誤りが発見された場合に再選択処理を行うことによって、薬剤シリンジ１０の装着を再度行ったり、薬剤シリンジを回転させるなどといった動作をユーザーが行う必要がないため、ユーザーにかける負担を減少させることが出来る。
【００５１】
(実施の形態２)
図９から図１６は、本発明の実施の形態２を示す図である。
この実施の形態２では、情報シンボル１８が４つのコード領域（情報シンボルの領域の一例）に分割されている。以降の説明を理解しやすくするために、読取エリア３７に存在する情報シンボル１８はＡ（コード領域Ａ１、Ａ２、Ａ３、Ａ４）、Ｂ（コード領域Ｂ１、Ｂ２、Ｂ３、Ｂ４）、Ｃ（コード領域Ｃ１、Ｃ２、Ｃ３、Ｃ４）、Ｄ（コード領域Ｄ１、Ｄ２、Ｄ３、Ｄ４）、Ｅ（コード領域Ｅ１、Ｅ２、Ｅ３、Ｅ４）、Ｆ（コード領域Ｆ１、Ｆ２、Ｆ３、Ｆ４）、Ｇ（コード領域Ｇ１、Ｇ２、Ｇ３、Ｇ４）と表示する。すなわち、コード領域Ａ１、Ｂ１、Ｃ１、Ｄ１、Ｅ１、Ｆ１、Ｇ１は、同じ情報を示す領域であり、コード領域Ａ２、Ｂ２、Ｃ２、Ｄ２、Ｅ２、Ｆ２、Ｇ２は、同じ情報を示す領域であり、コード領域Ａ３、Ｂ３、Ｃ３、Ｄ３、Ｅ３、Ｆ３、Ｇ３は、同じ情報を示す領域であり、コード領域Ａ４、Ｂ４、Ｃ４、Ｄ４、Ｅ４、Ｆ４、Ｇ４は、同じ情報を示す領域である。
【００５２】
この情報記録媒体１７では、その帯状のシート状部材３３を、柱状の薬剤シリンジ本体１００に貼付した場合、図９（ｂ）に示すように、この帯状のシート状部材３３の一端側と他端側が重なることで、エッジライン３４が一部の情報シンボル１８上に重なった状態となる。
また、各情報シンボル１８が４分割されているので、上段には、コード領域Ａ２、Ａ３、Ａ４、Ｂ１、Ｃ１、Ｃ２、Ｃ３、Ｃ４が存在し、また、下段には、コード領域Ｄ４、Ｅ１、Ｅ２、Ｅ３、Ｆ３、Ｆ４、Ｇ１、Ｇ２が存在している。なお、このように、情報シンボル１８を４分割した場合には、スタートマーク３６は、Ａ１、Ｂ１、Ｃ１、Ｄ１、Ｅ１、Ｆ１、Ｇ１は同じもの、また、Ａ２、Ｂ２、Ｃ２、Ｄ２、Ｅ２、Ｆ２、Ｇ２は同じもの、さらに、Ａ３、Ｂ３、Ｃ３、Ｄ３、Ｅ３、Ｆ３、Ｇ３は同じもの、さらにまた、Ａ４、Ｂ４、Ｃ４、Ｄ４、Ｅ４、Ｆ４、Ｇ４は同じものとしている。もちろん、Ａグループ、Ｂグループ、Ｃグループ、Ｄグループ、Ｅグループ、Ｆグループ、Ｇグループ内では、スタートマーク３６は、図９に示されるように、異なる（シート状部材３３の長手方向の幅が異なる）ものとなっている。
【００５３】
尚、この図９においても、読取エリア３７の中心（図９（ａ）のセンター３７ａ参照（図９（ｂ）では図が見難くなるためセンター３７ａを示していない））に近い情報シンボル１８から情報を読取るようにしている。ただし、この実施の形態２においては、情報シンボル１８が４分割されているので、１番目のコード領域（Ａ１、Ｂ１、Ｃ１、Ｄ１、Ｅ１、Ｆ１、Ｇ１）としては、Ｂ１が選択され、次に、２番目のコード領域（Ａ２、Ｂ２、Ｃ２、Ｄ２、Ｅ２、Ｆ２、Ｇ２）としては、Ｅ２が選択され、さらに、３番目のコード領域（Ａ３、Ｂ３、Ｃ３、Ｄ３、Ｅ３、Ｆ３、Ｇ３）としては、Ｅ３が選択され、さらにまた、４番目のコード領域（Ａ４、Ｂ４、Ｃ４、Ｄ４、Ｅ４、Ｆ４、Ｇ４）としては、Ａ４が選択される。そして、それらを統合することで、情報シンボル１８を読取ることが出来る。尚、選択されたコード領域が、情報領域として選択された情報シンボルの領域の一例に対応する。
【００５４】
[情報読取り動作]
次に、この読取動作について、図面を参照しながら詳細に説明する。
まず、読取制御部２６１（図４参照）は、読取エリア３７から受光素子３２で読み取ったデータ内に、図９のセンターライン３５が存在するか否かの検索を行う（図１０のＳ１０１）。次に、データベース作成処理（図１０のＳ１０２）が行われる。前記データベース作成処理は、具体的には、図１１に示すフローが実行される。この図１１に示すように、データベース作成処理では、開始後にスタートマーク３６が未検出の状態であるとの設定と、上段から読取りを開始するという設定が行われる（図１１のＳ２０１）。
【００５５】
なお、スタートマーク３６の検出作業は、上段も下段も、読取エリア３７の図９における左端から右端までのエリアを４００個に分割した分割エリアを、左側から右側に向けて１エリアごとに順次検出するものである。そのため、結論として、上段も下段も４００回のスタートマーク３６の検出作業が行われることとなる。
Ｓ２０１において上記設定が行われると、制御処理がＳ２０２に移行する。Ｓ２０２では分割エリアの繰上げが行われる。すなわち、分割エリアを１つ繰り上げることによって、情報読取装置１９によって読取られる分割エリアが１つ分右側に移動する。
【００５６】
Ｓ２０３は、上段及び下段の検出をそれぞれ４００回行うためのステップである。まずは、Ｓ２０１で、上段からの読取りを開始することが設定（Ｓ２０１において、ＦＬＡＧ１＝０）されているので、上段側において、次に、制御処理はＳ２０４へと移行する。
Ｓ２０４では、毎回、その検出部分に、Ａグループ、Ｂグループ、Ｃグループ、Ｄグループ、Ｅグループ、Ｆグループ、Ｇグループのいずれかのスタートマーク３６が存在するか否かの検出が行われる。図９（ｂ）の状態では、左端の部分には、Ａグループ、Ｂグループ、Ｃグループ、Ｄグループ、Ｅグループ、Ｆグループ、及びＧグループのいずれのスタートマーク３６も存在しないので、次に、制御処理はＳ２０５へと移行する。
【００５７】
Ｓ２０５では、その１／４００の分割エリアにエッジライン３４が存在するか否かの判定が行われる。図９（ｂ）の状態では、左端の部分に、エッジライン３４が存在しないので、制御処理はＳ２０６へと移行する。
Ｓ２０６では、コード終了位置（コード終了位置とは、情報シンボル１８が終了する位置、つまり、情報シンボル１８の幅）の確認が行われる。ここで、コード終了位置の確認とは、情報シンボル１８の終了位置が反射率の差によって検出されることであり、スタートマーク３６からの距離（情報シンボル１８の幅）を考慮した検出が行われるものではない。
【００５８】
図９（ｂ）に示す読取エリア３７の左端の状態では、４分割されたＡグループ、Ｂグループ、Ｃグループ、Ｄグループ、Ｅグループ、Ｆグループ、Ｇグループのいずれかに対応するコード終了位置が存在しないので、その時は、制御処理はＳ２０２へと移行する。
次に、Ｓ２０２では、読取りが行われる分割エリアが、１番目（１／４００）から２番目（２／４００）に移動される。そして、Ｓ２０３では、４００の分割エリア全ての読み取りが終了したか否かが判定されるが、未だ全ての分割エリアの読取りが終了していないため、制御処理はＳ２０４へと移動する。
【００５９】
続いて、Ｓ２０５では、２回目の検出ということで２／４００の分割エリアにエッジライン３４が存在するか否かの判定が行われる。図９（ｂ）の状態では、この２／４００の分割エリアにも、エッジライン３４が存在しないので、制御処理はＳ２０６へと移行する。Ｓ２０６では、コード終了位置の確認が行われるが、この左端の状態では、コード終了位置が存在しないので、制御処理はＳ２０２へと移行する。
このようにして、４００回の検出が行われることになる。
【００６０】
そして、この４００回の検出の途中（Ｓ２０２、Ｓ２０３、Ｓ２０４、Ｓ２０５、及びＳ２０６から再びＳ２０２へと戻る制御ループによって検出される分割エリアが右側に順次移動する中）において、Ｓ２０４でスタートマーク３６が検出されると、制御処理はＳ２１４へと進む。Ｓ２１４では、検出されたスタートマーク３６が１番目のコード領域のスタートマーク３６ｃであるか否かの判定が行われる。そして、１番目のコード領域のスタートマーク３６ｃである場合には、制御処理はＳ２０７へと移行され、スタートマーク３６が検出済み（ＦＬＡＧ０＝１）に設定される。そして、制御処理は再びＳ２０２へと移行される。一方、Ｓ２１４において、検出されたスタートマーク３６が１番目のコード領域のスタートマーク３６ｃでないと判定された場合には、制御処理はＳ２１５へと移行し、スタートマーク検出済みのフラグ（ＦＬＡＧ０＝１）が設定されているか否かの判定が行われる。スタートマーク検出済みのフラグ（ＦＬＡＧ０＝１）が設定されていない場合には、制御処理はＳ２０７へと移行し、スタートマーク検出済みのフラグ（ＦＬＡＧ０＝１）が設定される。一方、Ｓ２１５においてスタートマーク検出済みフラグ（ＦＬＡＧ０＝１）が設定されていると判定された場合、今回検出されたスタートマークの左側に位置するコード領域が有効なものであるとして読取制御部２６１内のデータベースに登録される。
【００６１】
図９（ｂ）に示す状態では、Ｓ２０４において図９（ｂ）に示す４分割された情報シンボル１８Ａの２番目のコード領域Ａ２のスタートマーク３６ｄが検出される。すると、制御処理はＳ２０４からＳ２１４へと移行される。検出されたスタートマークが１番目のコード領域のスタートマーク３６ｃではないため、制御処理はＳ２０７へと移行され、スタートマーク３６が検出済み（ＦＬＡＧ０＝１）に設定される。そして、２番目のコード領域Ａ２のスタートマーク３６ｄが検出された後、Ｓ２０２、Ｓ２０３、Ｓ２０４、Ｓ２０５及びＳ２０６を経て再びＳ２０２へと戻るループの繰り返しの中でＳ２０４において３番目のコード領域Ａ３のスタートマーク３６ｅが検出される。そして、検出されたスタートマーク３６ｅは３番目のコード領域のスタートマークであるため、Ｓ２１４からＳ２１５へと制御処理が移行する。ここで、２番目のコード領域Ａ２のスタートマーク３６ｄを検出した際に、スタートマークが検出済み（ＦＬＡＧ０＝１）に設定されているため、制御処理がＳ２１６へと移行し、２番目のコード領域Ａ２が有効なものであるとして読取制御部２６１内のデータベースに登録される。続いて、Ｓ２０２、Ｓ２０３、Ｓ２０４、Ｓ２０５及びＳ２０６を経て再びＳ２０２へと戻るループが繰り返され、このループの繰り返しの中で、Ｓ２０４においてスタートマーク３６ｆが確認され、上記と同様のステップで３番目のコード領域Ａ３が有効なものであるとして読取制御部２６１内のデータベースに登録される。
【００６２】
次に、Ｓ２０２、Ｓ２０３、Ｓ２０４、Ｓ２０５及びＳ２０６を経て再びＳ２０２へと戻るループが繰り返される。このループの繰り返しの中で、Ｓ２０６においてコード終了位置（情報シンボル１８の終了位置）が確認された場合、制御処理はＳ２０８へと移行する。図９（ｂ）に示す状態では、情報シンボルＡの終了位置（コード領域Ａ４の終了位置ともいえる）が確認される。
そして、Ｓ２０８では、スタートマーク３６が確認済（ＦＬＡＧ０＝１）か否かの検出が行われる。ここで、スタートマーク３６が検出済みであると判定された場合、制御処理はＳ２１０へと移行し、有効なコード領域であるとして読取制御部２６１内のデータベースに登録される。図９（ｂ）に示す状態では、スタートマーク３６ｆの検出時にＳ２０７においてスタートマーク検出済み（ＦＬＡＧ０＝１）に設定されているため、コード領域Ａ４が有効なコード領域であるとしてデータベースに登録される。
【００６３】
その後、制御処理はＳ２０９へと移行し、スタートマーク３６未検出の状態（ＦＬＡＧ０＝０）の設定が行われる。
このように本実施の形態２では、１〜３番目のコード領域については、次に読取られるコード領域（２〜４番目のコード領域）のスタートマークを用いてコード領域の終了が検出される。また、４番目のコード領域については、実施の形態１と同様に情報シンボル１８（Ａ、Ｂ、Ｃ、Ｄ、Ｅ、Ｆ、Ｇ）の終了位置を用いてコード領域の終了が検出される。
【００６４】
次に、図９（ｂ）に示す状態では、Ｓ２０２、Ｓ２０３、Ｓ２０４、Ｓ２０５及びＳ２０６を経て再びＳ２０２へと戻るループの繰り返しの中で、Ｓ２０４においてコード領域Ｂ１のスタートマーク３６ｃが検出され、制御処理はＳ２１４へと移行する。検出されたスタートマークは１番目のコード領域のスタートマーク３６ｃであるため、制御処理はＳ２０７へと移行し、スタートマーク検出済みのフラグ（ＦＬＡＧ０＝１）が設定される。続いて、上記ループの繰り返しの中でＳ２０４においてコード領域Ｂ２のスタートマーク３６ｄが検出されると、制御処理はＳ２１４、Ｓ２１５、Ｓ２１６へと移行し、コード領域Ｂ１が有効としてデータベースに登録される。
【００６５】
以上のように上段の４００回の検出を繰り返すことによって、具体的には、コード領域Ａ２、Ａ３、Ａ４、Ｂ１、Ｃ１、Ｃ２、Ｃ３、Ｃ４が上段の４分割された情報シンボル１８として登録される。尚、図９（ｂ）の状態では、コード領域Ａ２、Ａ３、Ａ４、及びＢ１の検出後に、コード領域Ｂ２のスタートマーク３６ｄが検出されるが、続く分割エリアの検出でＳ２０５においてエッジライン３４の存在が確認される。そのため、Ｓ２０９においてスタートマーク３６ｄは検出されなかった（ＦＬＡＧ０＝０）とされ、制御処理はＳ２０２へと戻る。
【００６６】
このようにして、上段における４００回の検出が完了すると、制御処理はＳ２０３からＳ２１１へと移行される。Ｓ２１１では、下段の検出中か否かの判定が行われる。上段の４００回の検出が終わった時点では、下段の検出を行っていたものではないので、Ｓ２１１では下段の検出中ではないという判定が行われる。そのため、制御処理はＳ２１２へと移行し、下段の検出中にするため、フラグ１が１（ＦＬＡＧ１＝１）へと変換される。続いて、Ｓ２０９でフラグ０が０（ＦＬＡＧ０＝０）とされ、制御処理がＳ２０２からＳ２１０へ、Ｓ２０２からＳ２１６へと適宜移行することで下段の検出が行われる。
【００６７】
この図９（ｂ）の状態では、読取エリア３７の下段に存在する情報シンボル１８のうち、左右の端に位置するコード領域Ｄ３、及びＧ３は、一部しか存在できておらず、また、内方のＥ４及びＦ２は、エッジライン３４で覆われた状態となるので、下段からは、Ｓ２１０において、４分割された情報シンボル１８のうちＤ３、Ｇ３、Ｆ２、及びＥ４は登録することができない。詳しく述べると、コード領域Ｄ３は、その左部分が読み取りエリア３７内に存在しないためスタートマーク３６ｅが読取られない。コード領域Ｇ３は、その右部分が欠けているため、スタートマーク３６ｅは読取られるが、次のスタートマーク３６ｆが読取られない。エッジライン３４の右側に配置されているコード領域Ｆ２は、エッジライン３４が重ねて印刷されており、その一部が端によって途切れた状態でシート状部材３３に印刷されているため、スタートマーク３６ｄが読取られない。又、エッジライン３４の左側に配置されているコード領域Ｅ４は、シート状部材３３のエッジライン３４が存在する左端３３Ｌ側の部分で、その一部が覆われているため、エッジライン３４が読取られる。従って、コード領域Ｄ３、Ｇ３、Ｆ２、及びＥ４は、データベースに登録されない。
【００６８】
しかし、下段において、コード領域Ｄ４、Ｅ１、Ｅ２、Ｅ３、Ｆ３、Ｆ４、Ｇ１、及びＧ２は、情報シンボル１８として登録することができる。尚、以上のように、登録されるコード領域を選択するＳ２０５〜Ｓ２１０及びＳ２１４〜Ｓ２１６が、第１情報領域選択工程の一例に対応する。
次に、図１１のＳ２１３において、登録された前記上段のコード領域Ａ２、Ａ３、Ａ４、Ｂ１、Ｃ１、Ｃ２、Ｃ３、Ｃ４と、下段のコード領域Ｄ４、Ｅ１、Ｅ２、Ｅ３、Ｆ３、Ｆ４、Ｇ１、Ｇ２から、４つのコード領域毎に最も読取領域３７のセンター３７ａに近いものが選択される。
【００６９】
具体的には、図９に示す状況下においては、１番目のコード領域（Ａ１、Ｂ１、Ｃ１、Ｄ１、Ｅ１、Ｆ１、Ｇ１）としては、コード領域Ｂ１、Ｃ１、Ｅ１、Ｇ１が登録されているので、その内から最も読取エリア３７のセンター３７ａに近いコード領域Ｂ１が選択される。
次に、２番目のコード領域（Ａ２、Ｂ２、Ｃ２、Ｄ２、Ｅ２、Ｆ２、Ｇ２）としては、コード領域Ａ２、Ｃ２、Ｅ２、Ｇ２）が登録されているので、その内から最も読取エリア３７のセンター３７ａに近いコード領域Ｅ２が選択される。
【００７０】
さらに、３番目のコード領域（Ａ３、Ｂ３、Ｃ３、Ｄ３、Ｅ３、Ｆ３、Ｇ３）としては、コード領域Ａ３、Ｃ３、Ｅ３、Ｆ３が登録されているので、その内から最も読取エリア３７のセンター３７ａに近いコード領域Ｅ３が選択される。
さらにまた、４番目のコード領域（Ａ４、Ｂ４、Ｃ４、Ｄ４、Ｅ４、Ｆ４、Ｇ４）としては、コード領域Ａ４、Ｃ４、Ｄ４、Ｆ４が登録されているので、その内から最も読取エリア３７のセンター３７ａに近いコード領域Ａ４が選択される。
【００７１】
つまり、登録された１番目のコード領域Ｂ１、Ｃ１、Ｅ１、Ｇ１は、図１３（ａ）のデータベース３８に示すようにデータベース化されているので、この内から読取エリア３７におけるセンター３７ａのＸ座標（２００）に近いものとして、コード領域Ｂ１が選択される。
ここで、図１３（ａ）のデータベース３８には、各コード領域のスタートマークのＸ座標が示されており、このスタートマークのＸ座標から、各コード領域の、読取エリア３７のセンター３７ａからの距離が演算される。具体的には、読取エリア３７は４００分割されているため、センターのＸ座標は２００となる。そして、センター３７ａよりも右側に位置するコード領域では、そのスタートマークの位置がセンター３７ａとの距離を示している。具体的には、図１３（ａ）では、コード領域Ｃ１がセンター３７ａよりも右側に位置し、そのセンター３７ａからの距離は、２３８−２００で求められ、３８となる。又、コード領域Ｇ１もセンター３７ａよりも右側に位置し、そのセンター３７ａからの距離は、３１４−２００で求められ、１１４となる。
【００７２】
一方、センター３７ａよりも左側に位置するコード領域では、スタートマーク側でなく、コード領域の右側がセンターとの距離となる。本実施の形態では、情報シンボル１８が４分割された各コード領域の幅は３８に設定されている。具体的には、図１３（ａ）では、コード領域Ｂ１がセンター３７ａよりも左側に位置し、そのセンター３７ａからの距離は、２００−（１６２＋３８）で求められ、０となる。又、コード領域Ｅ１もセンター３７ａより左側に位置し、そのセンター３７ａからの距離は、２００−（７６＋３８）で求められ、８６となる。
【００７３】
すなわち、図１３（ｂ）に示すように、図１３（ａ）に示す例では、コード領域Ｂ１、Ｃ１、Ｅ１、Ｇ１の順にセンターからの距離が近いことが分かる。尚、後述する図１４、図１５、図１６においても同様に登録されているコード領域のセンター３７ａからの距離が演算され、センター３７ａからの距離が近い順番が判断される。
また、登録された２番目のコード領域Ａ２、Ｃ２、Ｅ２、Ｇ２は、図１４のデータベース３９に示すようにデータベース化されているので、この内から読取エリア３７におけるセンター３７ａのＸ座標（２００）に近いものとして、コード領域Ｅ２が選択される。
【００７４】
さらに、登録された３番目のコード領域Ａ３、Ｃ３、Ｅ３、Ｆ３は、図１５のデータベース４０に示すようにデータベース化されているので、この内から読取エリア３７におけるセンターの３７ａＸ座標（２００）に近いものとして、コード領域Ｅ３が選択される。
さらにまた、登録された４番目のコード領域Ａ４、Ｃ４、Ｄ４、Ｆ４は、図１６のデータベース４１に示すようにデータベース化されているので、この内から読取エリア３７におけるセンター３７ａのＸ座標（２００）に近いものとして、コード領域Ａ４が選択される。
【００７５】
Ｓ２１３において選択されたコード領域Ｂ１、Ｅ２、Ｅ３、Ａ４が、Ｓ１０３において１〜４番目のコード領域として設定される。このようにデータベースに登録されたコード領域から、１〜４番目のコード領域として設定されるコード領域を選択するＳ２１３のステップが、本発明の第２情報領域選択工程の一例に対応する。
次に、図１０のＳ１０４において、選択されたＢ１、Ｅ２、Ｅ３、Ａ４のデコード処理が行われる。その後、図１０のＳ１０５において、誤り訂正が行われ、誤りがなければ正常終了（図１０のＳ１０６）される。このＳ１０４におけるステップが、情報取得工程の一例に対応する。
【００７６】
しかし、図１０のＳ１０５において誤りが発生したときには、図１０のＳ１０７を経て、一度だけ図１０のＳ１０８、Ｓ１０９、Ｓ１１０、及びＳ１１１のステップが行われ、上述のように選択されたＢ１、Ｅ２、Ｅ３、及びＡ４の再選択処理が行われる。尚、Ｓ１０７では再選択処理を行った場合に行われるエリアフラグの設定が行われているか否かの検出が行われる。
[再選択処理]
例えば、図１０のＳ１０８においては、図１２に示すように選択したコード領域Ｂ１が判定対象とされ、図１３において読取エリア３７におけるセンターのＸ座標（２００）に近いコード領域Ｃ１と比較される（図１２のＳ３０１）。そして、Ｂ１とＣ１の情報が一致すれば、左側から１番目のコード領域１はＢ１で正しいとされる（図１２のＳ３０７）。そして、図１２のＳ３０８でコード領域１の確認が完了する。
【００７７】
次に２番目のコード領域２が図１０のＳ１０９で確認され、次に、３番目のコード領域３が図１０のＳ１１０で確認され、次に、４番目のコード領域４が図１０のＳ１１１で確認される。そして、このようなコード領域１〜４の確認が終了すると、図１０のＳ１１２でエリアフラグが１（ＡＲＥＡ＿ＦＬＧ１＝１）に変換される。
続いて、制御処理は図１０のＳ１０４へと戻り、再び、図１０のＳ１０４、及びＳ１０５で誤り訂正が行われる。その結果、誤りがあれば、制御処理は図１０のＳ１０７へと進むが、このときは２回目であるので、図１０のＳ１１３へと移行し、異常終了ということになる。
【００７８】
さて、図１２のＳ３０１でＢ１＝Ｃ１でなかった場合には、図１２のＳ３０２において、Ｃ１の次にセンター３７ａに近いＥ１がＢ１と比較される。そして、Ｂ１＝Ｅ１であれば、上述した図１２のＳ３０７からＳ３０８へと制御処理が移行する。
しかし、図１２のＳ３０２においてＢ１＝Ｅ１でない場合には、図１２のＳ３０３において、Ｅ１の次にセンター３７ａに近いＧ１がＢ１と比較される。そして、Ｂ１＝Ｇ１であれば、上述した図１２のＳ３０７からＳ３０８へと制御処理が移行する。
【００７９】
しかし、図１２のＳ３０３においてＢ１＝Ｇ１でない場合には、図１２のＳ３０４において、判定対象をＢ１からＣ１に変更する作業が実行される。具体的には、図１２のＳ３０４において、Ｃ１と、その次にセンター３７ａに近いＥ１との比較が行われる。そして、Ｃ１＝Ｅ１であれば、図１２のＳ３１０においてコード領域１をＣ１とし、上述した図１２のＳ３０８へと制御処理が移行する。
また、図１２のＳ３０４において、Ｃ１＝Ｅ１でない場合には、図１２のＳ３０５において、Ｃ１と、Ｅ１の次にセンター３７ａに近いＧ１が比較される。そして、Ｃ１＝Ｇ１であれば、図１２のＳ３１０においてコード領域１をＣ１とし、上述した図１２のＳ３０８へと制御処理が移行する。
【００８０】
しかし、図１２のＳ３０５においてＣ１＝Ｇ１でない場合には、図１２のＳ３０６において判定対象をＣ１からＥ１に変更する作業が実行される。具体的には、図１２のＳ３０６において、Ｅ１と、その次にセンター３７ａに近いＧ１が比較され、Ｅ１＝Ｇ１であれば、図１２のＳ３１１において、コード領域１をＥ１とし、上述した図１２のＳ３０８へと制御が移行する。
また、Ｓ３０６において、Ｅ１＝Ｇ１でなければ、Ｓ３０８において、再選択処理の終了が行われる。
【００８１】
このようなデータ領域１の選択処理と同様の処理が、図１０のＳ１０９においてコード領域２の選択として実行され、さらに、図１０のＳ１１０において、コード領域３の選択として実行され、さらにまた、図１０のＳ１１１において、コード領域４の選択として実行される。
[作用効果]
以上のように、本実施の形態では情報シンボルを分割することにより、より情報読取装置の受光素子に近い位置（読取りセンターに近く）に存在するコード領域を選択して情報の読取りことが出来るため、より正確に情報を読取ることが可能となる。すなわち、実施の形態１において選択された情報シンボル１８は図６（ｂ）においてｃで示されたものであるが、ｃの右端近傍の領域は湾曲が大きい。対して、本実施の形態２では情報シンボル１８の右端近傍の領域（コード領域４）は、コード領域Ａ４を用いて読取られるため、より平面に近い状態で情報を読取ることが可能となる。
【００８２】
又、エッジライン３４が存在しない場合、図９（ｂ）を用いて説明すると、コード領域Ｅ４のスタートマーク３６ｆが検出された後に、コード領域Ｆ２のコード終了位置が検出されることになるため、情報が欠けているコード領域Ｅ４とコード領域Ｆ２を合体したコード領域が、４番目のコード領域として有効であると判断され、デコードの対象となるおそれが生じる。
しかしながら、本実施の形態のようにエッジライン３４を設け、エッジライン３４を検出することによって、コード領域Ｅ４とコード領域Ｆ２は、データベースに登録に登録されないため、デコードの対象とならず、適切に情報を読取ることが可能となる。
【００８３】
また、誤りが発見された場合に再選択処理を行うことによって、薬剤シリンジ１０の装着を再度行ったり、薬剤シリンジを回転させるなどといった動作をユーザーが行う必要がないため、ユーザーにかける負担を減少させることが出来る。
また、誤りが発見された際の再選択処理においても、よりセンターに近い位置のコード領域を選択することによって、より正確な読取りを行うことが出来る。
(実施の形態３)
図１７及び図１８は、本発明の実施の形態３を示すものである。この実施の形態３では、情報シンボル１８を１６のコード領域に分割したものである。以降の説明を理解しやすくするために、読取エリア３７に存在する情報シンボル１８はＡ（Ａ１、Ａ２、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６）、Ｂ（Ｂ１、Ｂ２、Ｂ３、Ｂ４、Ｂ５、Ｂ６、Ｂ７、Ｂ８、Ｂ９、Ｂ１０、Ｂ１１、Ｂ１２、Ｂ１３、Ｂ１４、Ｂ１５、Ｂ１６）、Ｃ（Ｃ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６）、Ｄ（Ｄ１、Ｄ２、Ｄ３、Ｄ４、Ｄ５、Ｄ６、Ｄ７、Ｄ８、Ｄ９、Ｄ１０、Ｄ１１、Ｄ１２、Ｄ１３、Ｄ１４、Ｄ１５、Ｄ１６）、Ｅ（Ｅ１、Ｅ２、Ｅ３、Ｅ４、Ｅ５、Ｅ６、Ｅ７、Ｅ８、Ｅ９、Ｅ１０、Ｅ１１、Ｅ１２、Ｅ１３、Ｅ１４、Ｅ１５、Ｅ１６）、Ｆ（Ｆ１、Ｆ２、Ｆ３、Ｆ４、Ｆ５、Ｆ６、Ｆ７、Ｆ８、Ｆ９、Ｆ１０、Ｆ１１、Ｆ１２、Ｆ１３、Ｆ１４、Ｆ１５、Ｆ１６）、Ｇ（Ｇ１、Ｇ２、Ｇ３、Ｇ４、Ｇ５、Ｇ６、Ｇ７、Ｇ８、Ｇ９、Ｇ１０、Ｇ１１、Ｇ１２、Ｇ１３、Ｇ１４、Ｇ１５、Ｇ１６）と表示する。
【００８４】
つまり、この実施形態３においては、図１７に示すように、情報シンボル１８を縦横に１６分割し、この１６分割されたエリアに上記１６分割されたＡ〜Ｇの情報シンボル１８（Ａ１〜Ａ１６、Ｂ１〜Ｂ１６、Ｃ１〜Ｃ１６、Ｄ１〜Ｄ１６、Ｅ１〜Ｅ１６、Ｆ１〜Ｆ１６、Ｇ１〜Ｇ１６）が、適宜分散配置された状態となっている。このため、情報シンボル１８の情報を読取るためには、Ａ〜Ｇの情報シンボル１８のいずれの組み合わせでもよいが、図１７（ｂ）に示すように、１６分割されたコード領域（１〜１６）を選択する必要がある。
【００８５】
さて、このようになった情報記録媒体１７は、図１７に示すように、上記実施の形態１、２と同じように、そのシート状部材３３は帯状となっている。そして、このように帯状となったシート状部材３３を薬剤シリンジ１０に貼付した場合、図１７（ｂ）に示すように、この帯状のシート状部材３３の一端側と他端側が重なることで、エッジライン３４が一部の情報シンボル１８上に重なった状態となる。
また、各情報シンボル１８が１６分割されているので、上段には、Ａ２、Ａ３、Ａ４、Ｂ１、Ｃ１、Ｃ２、Ｃ３、Ｃ４、Ａ６、Ａ７、Ａ８、Ｂ５、Ｃ５、Ｃ６、Ｃ７、Ｃ８、Ａ１０、Ａ１１、Ａ１２、Ｂ９、Ｃ９、Ｃ１０、Ｃ１１、Ｃ１２、Ａ１４、Ａ１５、Ａ１６、Ｂ１３、Ｃ１３、Ｃ１４、Ｃ１５、Ｃ１６が存在している。
【００８６】
また、下段には、Ｄ４、Ｅ１、Ｅ２、Ｅ３、Ｆ３、Ｆ４、Ｇ１、Ｇ２、Ｄ８、Ｅ５、Ｅ６、Ｅ７、Ｆ７、Ｆ８、Ｇ５、Ｇ６、Ｄ１２、Ｅ９、Ｅ１０、Ｅ１１、Ｆ１１、Ｆ１２、Ｇ９、Ｇ１０、Ｄ１６、Ｅ１３、Ｅ１４、Ｅ１５、Ｆ１５、Ｆ１６、Ｇ１３、Ｇ１４が存在している。
なお、このように、情報シンボル１８を１６分割した場合には、スタートマーク３６（３６ｂ、３６ｃ、３６ｄ、３６ｅ、３６ｆ）は、上下のエリアにおいて、シート状部材３３の長手方向の区分を示すだけのものとなっている。
【００８７】
この図１７においても、読取エリア３７の中心に近い情報シンボル１８から情報を読取るようにしている。ただし、この実施形態３においては、情報シンボル１８が１６分割されているので、１番目のコード領域（Ａ１〜Ｇ１）としては、Ｂ１が選択され、次に、２番目のコード領域（Ａ２〜Ｇ２）としては、Ｅ２が選択される。
さらに、３番目のコード領域（Ａ３〜Ｇ３）としては、Ｅ３が選択され、また、４番目のコード領域（Ａ４〜Ｇ４）としては、Ａ４が選択される。
【００８８】
５番目のコード領域（Ａ５〜Ｇ５）としては、Ｂ５が選択され、６番目のコード領域（Ａ６〜Ｇ６）としては、Ｅ６が選択される。
７番目のコード領域（Ａ７〜Ｇ７）としては、Ｅ７が選択され、８番目のコード領域（Ａ８〜Ｇ８）としては、Ａ８が選択される。
９番目のコード領域（Ａ９〜Ｇ９）としては、Ｂ９が選択され、１０番目のコード領域（Ａ１０〜Ｇ１０）としては、Ｅ１０が選択される。
【００８９】
１１番目のコード領域（Ａ１１〜Ｇ１１）としては、Ｅ１１が選択され、１２番目のコード領域（Ａ１２〜Ｇ１２）としては、Ａ１２が選択される。
１３番目のコード領域（Ａ１３〜Ｇ１３）としては、Ｂ１３が選択され、１４番目のコード領域（Ａ１４〜Ｇ１４）としては、Ｅ１４が選択される。
１５番目のコード領域（Ａ１５〜Ｇ１５）としては、Ｅ１５が選択され、１６番目のコード領域（Ａ１６〜Ｇ１６）としては、Ａ１６が選択される。
【００９０】
そして、それらを統合することで、情報シンボル１８（１６分割された１〜１６）を読取ることとしている。
なお、この読取動作の詳細については、実施の形態２とほぼ同様な構成で行われるので、適宜省略して説明する。
図１８は、本発明にかかる実施の形態３における情報読取装置の動作のフローチャートである。図１８に示すように、Ｓ４０１（Ｓ１０１と同様）のステップが実行され、Ｓ４０２においてデータベース作成処理が行われる。ここで、１６分割されたコード領域１〜１６に対応させるコード領域の選択が行われる。
【００９１】
実施の形態２と対応させて説明すると、実施の形態２でははじめにコード領域Ａ２が有効なデータとしてデータベース登録されるが、実施の形態３ではコード領域Ａ２、Ａ６、Ａ１０、Ａ１４がまとめてデータベース登録される。次に、同様にコード領域Ａ３、Ａ７、Ａ１１、Ａ１５がまとめてデータベース登録される。次に、コード領域Ａ４、Ａ８、Ａ１２、Ａ１６がまとめてデータベース登録される。次に、コード領域Ｂ１、Ｂ５、Ｂ９、Ｂ１３がまとめてデータベース登録される。順次、コード領域Ｃ１、Ｃ５、Ｃ９、Ｃ１３がまとめてデータベース登録され、コード領域Ｃ２、Ｃ６、Ｃ１０、Ｃ１４がまとめてデータベース登録され、コード領域Ｃ３、Ｃ７、Ｃ１１、Ｃ１５がまとめてデータベース登録され、コード領域Ｃ４、Ｃ８、Ｃ１２、Ｃ１６がまとめてデータベース登録される。
【００９２】
続いて、下段において、コード領域Ｄ４、Ｄ８、Ｄ１２、Ｄ１６がまとめてデータベース登録され、コード領域Ｅ１、Ｅ５、Ｅ９、Ｅ１３がまとめてデータベース登録され、コード領域Ｅ２、Ｅ６、Ｅ１０、Ｅ１４がまとめてデータベース登録され、コード領域Ｅ３、Ｅ７、Ｅ１１、Ｅ１５がまとめてデータベース登録される。そして、エッジライン３４を跨いで、コード領域Ｆ３、Ｆ７、Ｆ１１、Ｆ１５がまとめてデータベース登録され、コード領域Ｆ４、Ｆ８、Ｆ１２、Ｆ１６がまとめてデータベース登録される。更に続いて、コード領域Ｇ１、Ｇ５、Ｇ９、Ｇ１３がまとめてデータベース登録され、コード領域Ｇ２、Ｇ６、Ｇ１０、Ｇ１４がまとめてデータベース登録される。
【００９３】
そして、データベース登録されたコード領域から、コード領域１〜１６に設定されるコード領域が選択される。この選択は、まとめてデータベース登録される４つのコード領域単位で行われても良いし、１６分割されたコード領域毎に行っても良く、どちらの方法で選択を行っても同様の結果となる。この選択は、読み取りセンターに近い座標が選択されるため、読取り方向と垂直な方向の座標は選択結果に影響を与えないためである。尚、読み取りセンターに近い座標という選択条件に加えて、センターライン３５に近い座標のコード領域が選択されるという条件を付加しても良い。この場合は、１６分割されたコード領域毎に選択を行う必要がある。
【００９４】
このようにして選択されたコード領域が、Ｓ４０３においてコード領域１〜１６として設定される。
次に、Ｓ４０４において二次元デコード処理が行われ、Ｓ４０５において誤り訂正が行われ、誤りがなければＳ４０６において正常終了される。尚、センターライン３６と垂直な方向における各コード領域の座標は予め設定されており、その設定に従って各コード領域がデコードされる。
【００９５】
一方、Ｓ４０５において誤りが発生したときは、Ｓ４０７において既に再選択処理が１回行われているか否かの判定が行われる。具体的には、再選択処理を行った場合に行われるエリアフラグの設定が行われているか否かの検出が行われる。
続いて、Ｓ４０８〜Ｓ４２４において、コード領域１〜１６の再選択処理が行われる。このコード領域の再選択処理は、１６個に分割されたコード領域一つずつに対して行われる。この再選択処理は、実施の形態２と同様であるため省略する。
【００９６】
本実施の形態３では、センターライン３５（読取り方向）と垂直方向にも情報シンボル１８を分割することにより、例えば、情報シンボル１８の一部が汚れ読取り難い場合でも、再選択処理によって、その一部分のみを他のコード領域に変更することが出来るため、読取り性能を向上させることが出来る。
すなわち、本実施の形態３では、実施の形態２よりも更に細かく分割されているため、再選択処理時に、より小さい領域で再選択を行うことが出来るので、ゴミや汚れの影響が小さくなる。
【００９７】
なお、上記（実施の形態１から３）においては、帯状のシート状部材３３の長手方向の一端側と他端側の少なくとも一方には、長手方向に対して直交する方向のエッジライン３４を設けた。このエッジライン３４は端認識部の一例に対応するが、帯状のシート状部材３３の長手方向の一端側と他端側の少なくとも一方の端部が、発光素子３１と受光素子３２による読取時に、例えば、影を感じて擬似的にエッジライン３４を検出できるときには、このエッジライン３４を特別に設ける必要もない。また、ライン状に形成されていなくてもよく、例えば、丸、四角、半円等のマークが設けられていてもよい。図１９には、半円のマーク５０がシート状部材３３の左端３３Ｌに形成されている情報記録媒体１７が示されている。いずれにせよ、端認識部は、帯状のシート状部材３３の長手方向の一端側と他端側の少なくとも一方の端部を検出できるようにすることが重要であり、一端側と他端側の少なくとも一方の端部を検出できさえすればよい。この端部を検出できることが端認識部の一例であるエッジライン３４の特徴である。
【００９８】
また、上記実施の形態１〜３で説明したシート状部材３３の長手方向が、読み取り装置の読取り方向の一例に対応するが、シート状部材３３の形状が帯状ではなく、例えば縦長形状の場合には、短手方向であってもよい。要するに、シート状部材の一端側と他端側の少なくとも一方に、情報読取装置にシート状部材の端を認識させるための端認識部が設けられておりさえすればよい。
また、上記（実施の形態１から３）においては、センターライン３５の両側に前記情報シンボル１８を複数個配置したが、帯状のシート状部材３３の長手方向に複数の情報シンボル１８を複数個配置してもよい。この場合、センターライン３５は、長手方向に並んだ複数の情報シンボル１８の上辺側もしくは下辺側に設けられることとなる。
【００９９】
さらに、上記（実施の形態１から３）においては、柱状体となった薬剤シリンジ１０の外周面に、帯状の情報記録媒体１７を貼付したが、薬剤シリンジ１０の外周面にカバーを一体に被せたものであった場合には、このカバーの外周面に、帯状の情報記録媒体１７を貼付してもよい。
また、上記実施の形態１〜３では、情報記録媒体を貼り付ける対象である柱状本体として薬剤シリンジ本体１００を例に挙げて説明したが、薬剤シリンジに限らなくてもよい。例えば、血液試料、化学試料、サンプルなどを入れるための試験管等に、上述した情報記録媒体が貼り付けられても良い。さらに、柱状本体として内容物を入れる容器に限らず、製品自体であってもよい。すなわち、製品の識別番号、ロット番号等の情報が記録されている情報記録媒体が製品自体に巻きつけられていてもよい。また、柱状本外としては筒状に限られず、四角柱、六角柱等であってもよい。
【０１００】
又、上記実施の形態１〜３では、情報記録媒体１７を薬剤シリンジ本体１００に貼り付けたとき、一端側と他端側が重なると説明しているが、情報記録媒体の読取り方向の長さによっては、一端側又は他端側とシート状部材３３の中央側が重なる場合もありえる。要するに、シート状部材３３の一端（例えば左端３３Ｌ）又は他端（例えば、右端３３Ｒ）が表面３３ａ上に重なるように薬剤シリンジ本体１００に巻き付けられていればよい。
又、上記実施の形態１では、第１情報シンボル選択工程において選択された情報シンボルが複数あった場合、第２情報シンボル選択工程において読取エリア３７のセンター３７ａに近い情報シンボルが選択されているが、第１情報シンボル選択工程において選択された情報シンボルが１つの場合には、第２情報シンボル選択工程が行われなくてもよい。又、第１情報シンボル選択工程において、１つの情報シンボルが選択されると、例え、登録可能な情報シンボルが存在していたとしても第１情報シンボル選択工程を終了し、その選択された情報シンボルのデコード処理が行われてもよい。
【０１０１】
要するに、シート状部材３３の端と重なっている又はシート状部材３３の端で途切れている情報シンボル１８を選択せず、シート状部材３３の端と重なっていない且つシート状部材３３の端で途切れていない情報シンボル１８を選択することが出来さえすればよい。
又、上記実施の形態２では、第１情報領域選択工程において情報領域として選択された領域が複数あった場合、第２情報領域選択工程において読取エリア３７のセンター３７ａに近い領域（コード領域）が選択されているが、第１情報領域選択工程において選択された領域（コード領域）が１つの場合には、第２情報領域選択工程が行われなくてもよい。又、第１情報領域選択工程で、情報シンボルの所定の情報領域として、１つの領域（コード領域）が選択された場合、例え他に登録可能な領域が存在していたとしても第１情報シンボル選択工程を終了し、第２情報領域選択工程も行われなくてもよい。要するに、シート状部材３３の端と重なっている又はシート状部材３３の端で途切れている情報領域（コード領域）を選択せず、シート状部材３３の端と重なっていない且つシート状部材３３の端で途切れていない情報領域（コード領域）を選択することが出来さえすればよい。
【０１０２】
又、上記実施の形態では、情報シンボル１８又は情報シンボルが読取エリア３７のセンター３７ａよりも右側に存在する場合には、それらのセンター３７ａからの距離は、それぞれのスタートマークの位置とセンター３７との距離とし、情報シンボル１８又は情報シンボルが読取エリア３７のセンター３７ａよりも左側に存在する場合には、それらのセンター３７ａからの距離は、情報シンボル又は情報シンボルの領域の右端（スタートマークの反対側の端）の位置とセンター３７との距離としていた。しかしながら、これに限らなくてもよい。情報シンボル又は情報シンボルの領域の中心位置を基準に、センター３７ａからの距離を判断しても良い。例えば、図１３（ａ）のＣ１とＥ１を比較する場合、Ｃ１の中心の位置とセンター３７ａとの距離は、（２３８＋３８／２）−２００で求められ、５７となる。一方、Ｅ１の中心の位置は、２００−（７６＋３８／２）で求められ、１０５となる。これによりＣ１の方がＥ１よりもセンター３７ａに近いと判断することが出来る。
【０１０３】
又、４分割されたコード領域のそれぞれにおいて、図１２に示す再選択処理が正常に終了したか否かのフラグが設定されてもよい。例えば、Ｓ３０６においてＥ１＝Ｇ１でない場合、異常終了のフラグを立てる処理が行われ、異常フラグが立った場合には、図１０においてＳ１０８からＳ１０９へと移動せず、Ｓ１１３へと移動するような制御処理が行われてもよい。
尚、上述した実施の形態の情報読取り方法の各ステップ、処理、工程等の全部または一部は、例えばプログラムを用いて実現されてもよい。そして、上記実施の形態１〜３の情報読取り方法の各ステップ、処理、工程等の全部または一部は、コンピュータにおいて、中央演算装置（ＣＰＵ）により行われても良い。上記プログラムはコンピュータと協働して動作する。
【０１０４】
又、上記プログラムの利用形態としては、例えばコンピュータにより読取り可能なＲＯＭ等の記録媒体に記録されていてもよい。更に、プログラムの利用形態として、例えばインターネット等の伝送媒体、光、電波などの伝送媒体中を伝送し、コンピュータによって読取られる態様であってもよい。例えば、上記実施の形態の薬剤注入装置がＵＳＢ等によってコンピュータと接続され、上述した情報読取り方法を実現するプログラムがインターネットを通じて伝送されてもよい。このコンピュータはＣＰＵ等のハードウェアに限らなくてもよく、ファームウェアや、ＯＳであってもよい。また、実施の形態の情報読取り方法の各ステップ、処理、工程等の全部または一部をハードウェアにより実現しても良いし、ソフトウェアにより実現しても良い。さらに、ソフトウェアおよびハードウェアの混在処理により実現しても良い。
【０１０５】
本実施形態は、さらに以下のように表現可能である。
（１）
シート状部材と、
前記シート状部材の表面に複数個表示され、それぞれ同一の情報を有する情報シンボルと、
前記シート状部材の一端側と他端側の少なくとも一方に設けられた、前記情報シンボルを読取る情報読取装置に前記シート状部材の端を認識させるための端認識部とを備えた、情報記録媒体。
【０１０６】
（２）
前記端認識部は、前記シート状部材に形成されたエッジラインである、上記（１）に記載の情報記録媒体。
（３）
前記エッジラインは、前記情報読取装置による読取り方向に略直交する方向に形成されている、上記（２）に記載の情報記録媒体。
【０１０７】
（４）
前記シート状部材の前記情報読取装置による読取り方向に沿った中心軸部分には、前記エッジラインに略直交する方向に形成されたセンターラインが設けられ、
前記センターラインの両側に前記情報シンボルが配置された、上記（２）に記載の情報記録媒体。
（５）
前記センターラインの両側には、それぞれスタートマークが設けられ、
前記センターラインの両側において、それぞれの前記スタートマークから前記情報シンボルが表示されている、上記（４）に記載の情報記録媒体である。
【０１０８】
（６）
前記情報シンボルは、複数個の領域に分割されている、上記（１）から（５）のいずれか一つに記載の情報記録媒体。
（７）
前記情報シンボルは、前記情報読取装置の読取り方向に向けて、複数個の領域に分割されている、上記（６）に記載の情報記録媒体。
【０１０９】
（８）
前記情報シンボルは、前記情報読取装置の読取り方向と略直交する方向に向けて、複数個の領域に分割されている、上記（１）から（７）のいずれか一つに記載の情報記録媒体。
（９）
前記シート状部材の裏面側に、接着層が設けられた、上記（１）から（８）のいずれか一つに記載の情報記録媒体。
【０１１０】
（１０）
上記（１）から（９）のいずれか一つに記載の情報記録媒体と、
外周面に前記情報記録媒体が貼り付けられる柱状本体とを備え、
前記情報記録媒体は、前記シート状部材の一端又は他端が、その表面に重なるように前記柱状本体に巻き付けられている、柱状体。
（１１）
前記柱状本体は、筒状である、上記（１０）に記載の柱状体。
【０１１１】
（１２）
上記（１０）または（１１）に記載の柱状体の情報記録媒体に光を照射する発光素子と、
前記情報記録媒体からの反射光を受光する受光素子と、
前記受光素子に接続された読取制御部とを備え、
前記読取制御部は、前記シート状部材の前記端と重なっていない且つ前記端によって途切れていない前記情報シンボルからの読取情報を有効とする、情報読取装置。
【０１１２】
（１３）
前記読取制御部は、前記受光素子に近接する前記情報シンボルからの読取情報を有効とする、上記（１２）に記載の情報読取装置。
（１４）
上記（１２）または（１３）に記載の情報読取装置を用い、前記情報読取装置による読取情報から薬剤投与制御を行う薬剤投与制御部を備えた、薬剤投与装置。
【０１１３】
（１５）
シート状部材と、前記シート状部材の表面に複数個表示され、それぞれ同一の情報を有する情報シンボルと、前記シート状部材の一端側と他端側の少なくとも一方に設けられ、前記情報シンボルを読取る情報読取装置に前記シート状部材の端を認識させるための端認識部とを有する情報記録媒体と、外周面に前記情報記録媒体が貼付けられる柱状本体とを備え、前記情報記録媒体は、前記シート状部材の一端又は他端が、その表面に重なるように前記柱状本体に巻き付けられている、柱状体の前記情報記録媒体の情報を読取る情報読取り方法であって、
前記シート状部材の端と重なっている又は前記シート状部材の端で途切れている前記情報シンボルを選択せず、前記シート状部材の端と重なっていない且つ前記シート状部材の端で途切れていない情報シンボルを選択する第１情報シンボル選択工程と、
前記第１情報シンボル選択工程において選択された前記情報シンボルからの読取情報を有効とする情報取得工程とを備えた、情報読取り方法。
【０１１４】
（１６）
前記第１情報シンボル選択工程において選択された情報シンボルが複数存在する場合、前記受光素子に最も近接して配置されている前記情報シンボルを更に選択する第２情報シンボル選択工程を更に備え、
前記情報取得工程は、前記第２情報シンボル選択工程において選択された前記情報シンボルからの読取情報を有効とする、上記（１５）に記載の情報読取り方法。
【０１１５】
（１７）
シート状部材と、前記シート状部材の表面に複数個表示され、それぞれ同一の情報を有する情報シンボルと、前記シート状部材の一端側と他端側の少なくとも一方に設けられ、前記情報シンボルを読取る情報読取装置に前記シート状部材の端を認識させるための端認識部とを有する情報記録媒体と、外周面に前記情報記録媒体が貼付けられた柱状本体とを備え、前記情報記録媒体は、前記シート状部材の一端又は他端が、その表面に重なるように前記柱状本体に巻き付けられており、前記情報シンボルは、前記情報読取装置の読取り方向に向けて、複数個の領域に分割されている、柱状体の前記情報記録媒体の情報を読取る情報読取り方法であって、
前記シート状部材の端と重なっている又は前記シート状部材の端で途切れている前記情報シンボルの領域を選択せず、前記シート状部材の端と重なっていない且つ前記シート状部材の端で途切れていない前記情報シンボルの領域を情報領域として選択する第１情報領域選択工程と、
前記第１情報領域選択工程において選択された情報領域を組み合わせて得られた前記情報シンボルからの読取情報を有効とする情報取得工程とを備えた、情報読取り方法。
【０１１６】
（１８）
前記分割された各々の領域において、前記第１情報領域選択工程において選択された情報領域が複数存在する場合、前記受光素子に最も近接して配置されている前記情報領域を選択する第２情報領域選択工程を更に備え、
前記情報取得工程は、前記第２情報領域選択工程において選択された情報領域を組み合わせて得られた前記情報シンボルからの読取情報を有効とする、上記（１７）に記載の情報読取り方法。
【０１１７】
（１９）
上記（１５）に記載の情報読取り方法の、前記第１情報シンボル選択工程と、前記情報取得工程をコンピュータに実行させるプログラム。
（２０）
上記（１７）に記載の情報読取り方法の、前記第１情報領域選択工程と、前記情報取得工程とをコンピュータに実行させるプログラム。
【０１１８】
（２１）
上記（１９）又は（２０）に記載のプログラムを記録した記録媒体であって、コンピュータにより処理可能な記録媒体。
【産業上の利用可能性】
【０１１９】
本発明の柱状体は、情報シンボルが適切に読取られることが可能な効果を有し、病院や個人使用の薬剤投与装置に用いられる薬剤シリンジ等としての活用が大きく期待されるものとなる。
【符号の説明】
【０１２０】
１  薬剤投与装置
２  筐体
３  先端キャップ
４  確認窓
５  電源ボタン
６  エア抜きボタン
７  完了ボタン
８  薬剤投与ボタン
９  表示部
１０  薬剤シリンジ
１１  インナーケース
１２  注射針
１３  先端開口部
１４  ピストン駆動用モータ
１５  ピストンユニット
１６  充電式電池
１７  情報記録媒体
１８  情報シンボル
１９  情報読取装置
２０  位置検出手段
２１  フォトセンサ
２２  フォトセンサ
２３  遮蔽板
２４  ケース
２５  スライドモータ
２６  制御部
２７  モータドライブ回路
２８  エンコーダ
２９  サウンダ
３０  バイブレータ
３１  発光素子
３２  受光素子
３３  シート状部材
３４  エッジライン
３５  センターライン
３６  スタートマーク
３６ａ  スタートマーク
３６ｂ  スタートマーク
３６ｃ  スタートマーク
３６ｄ  スタートマーク
３６ｅ  スタートマーク
３６ｆ  スタートマーク
３７  読取エリア
３８  データベース
３９  データベース
４０  データベース
４１  データベース
１００  薬剤シリンジ本体
２６１  読取制御部
２６２  薬剤投与制御部
【図１】
0005946889.tif 000002
【図２】
0005946889.tif 000003
【図３】
0005946889.tif 000004
【図４】
0005946889.tif 000005
【図５】
0005946889.tif 000006
【図６】
0005946889.tif 000007
【図７】
0005946889.tif 000008
【図８】
0005946889.tif 000009
【図９】
0005946889.tif 000010
【図１０】
0005946889.tif 000011
【図１１】
0005946889.tif 000012
【図１２】
0005946889.tif 000013
【図１３】
0005946889.tif 000014
【図１４】
0005946889.tif 000015
【図１５】
0005946889.tif 000016
【図１６】
0005946889.tif 000017
【図１７】
0005946889.tif 000018
【図１８】
0005946889.tif 000019
【図１９】
0005946889.tif 000020